(57)【要約】      （修正有）【課題】小型化およびコスト低減を図れ、硬貨を出金するまでの処理時間を短縮でき、さらに、異常硬貨が混入した状態で出金箱が取り出されるのを防止できる硬貨処理装置を提供する。【解決手段】出金箱装着部16に装着した出金箱15をロックした状態で、硬貨収納繰出部12から硬貨を繰り出し、繰り出した硬貨を搬送部13で搬送しかつ識別部22で識別して出金箱15に送り込む。出金箱15に送り込んだ出金分の硬貨が正常であれば、出金箱15のロックを解除し、出金箱15を出金箱装着部16から外して硬貨を取り出す。異常硬貨が識別されれば、出金箱15をロックしたまま、出金箱15の底板32を開放させ、出金箱15から落下する硬貨を回収部17に回収する。【選択図】図１
2010113533.tif 000002
【特許請求の範囲】
【請求項１】
硬貨を収納するとともに繰出可能な硬貨収納繰出部と、
この硬貨収納繰出部から繰り出された硬貨を搬送する搬送部と、
この搬送部で搬送する硬貨を識別する識別部と、
この識別部で識別された硬貨が前記搬送部で送り込まれる出金箱装着部と、
上下に開口する箱本体およびこの箱本体の底面を開閉する底板を有し、前記出金箱装着部に着脱可能に装着され、前記出金箱装着部に送り込まれる硬貨を前記箱本体の上面から受け入れる出金箱と、
前記出金箱装着部に装着された前記出金箱をロックするロック手段と、
前記出金箱装着部に装着された前記出金箱の底板を開閉する開閉手段と、
前記出金箱の底板の開放により落下する硬貨を回収する回収部と、
前記出金箱装着部に装着された前記出金箱を前記ロック手段でロックした状態で、前記硬貨収納繰出部から硬貨を繰り出し、繰り出した硬貨を前記搬送部で搬送しかつ前記識別部で識別して前記出金箱に送り込み、前記出金箱に送り込んだ出金分の硬貨が前記識別部で正常と識別されれば前記ロック手段によるロックを解除させ、前記識別部で異常硬貨が識別されれば前記開閉手段で前記出金箱の底板を開放させる制御部と
を具備していることを特徴とする硬貨処理装置。
【請求項２】
前記底板を開放した前記出金箱が、前記硬貨収納繰出部の硬貨を前記回収部に回収する回収経路の一部を形成する
ことを特徴とする請求項１記載の硬貨処理装置。
【請求項３】
前記制御部は、前記硬貨収納繰出部の硬貨を前記回収部に回収する回収モードにおいて、前記出金箱装着部に装着された前記出金箱を前記ロック手段でロックした状態で、前記開閉手段で前記出金箱の底板を開放させ、前記硬貨収納繰出部から硬貨を繰り出し、繰り出した硬貨を前記搬送部で搬送して前記出金箱に送り込む
ことを特徴とする請求項２記載の硬貨処理装置。
【請求項４】
前記出金箱は、前記ロック手段による前記出金箱のロック解除に連動して前記底板を前記箱本体の底面を閉鎖する閉鎖位置に係止し、前記ロック手段による前記出金箱のロックに連動して前記底板の係止を解除する係止手段を有する
ことを特徴とする請求項１ないし３いずれか記載の硬貨処理装置。
【請求項５】
前記出金箱を外した前記出金箱装着部には、前記出金箱装着部に送り込まれる硬貨を前記機体外へ送り出す機外回収用シュート付き出金箱を装着可能とする
ことを特徴とする請求項１ないし４いずれか記載の硬貨処理装置。
【発明の詳細な説明】
【技術分野】
【０００１】
本発明は、硬貨を出金する硬貨処理装置に関する。
【背景技術】
【０００２】
従来、硬貨を出金する硬貨処理装置では、硬貨の出金時において、出金金種の硬貨を収納した金種別の硬貨収納繰出部から出金分の硬貨を繰り出し、この繰り出した硬貨を搬送部で一時保留部に送り込んで一時保留し、この一時保留部に出金分の硬貨を受け入れ終えたら、一時保留部を出金箱の場所に移動し、この一時保留部の硬貨を出金箱に放出し、出金箱を機体から取り外し、出金箱内から硬貨を取り出している。また、硬貨収納繰出部の硬貨を回収する回収時には、一時保留部の底板を開放した状態で、硬貨収納繰出部から硬貨を繰り出し、繰り出した硬貨を搬送部で一時保留部に送り込むとともに一時保留部を通過させて回収部に回収している（例えば、特許文献１参照。）。
【特許文献１】特開２００５−２２８０８０号公報（第１１頁、図２−４）
【発明の開示】
【発明が解決しようとする課題】
【０００３】
しかしながら、従来の硬貨処理装置では、硬貨の出金時において、硬貨収納繰出部の硬貨を出金箱に送り込むのに、一時保留部および一時保留部を移動させる移動機構が必要であるとともに一時保留部が移動する空間が必要であり、硬貨処理装置が大型化し、コストアップとなる問題がある。
【０００４】
また、硬貨収納繰出部に異金種の硬貨が収納されていた等の理由から、出金する硬貨に異金種硬貨等の異常硬貨が混入した場合には、この異常硬貨を出金箱に送り込んで出金してしまうことが考えられる。
【０００５】
本発明は、このような点に鑑みなされたもので、小型化およびコスト低減を図れるとともに、硬貨を出金するまでの処理時間を短縮でき、さらに、異常硬貨が混入した状態で出金箱が取り出されるのを防止できる硬貨処理装置を提供することを目的とする。
【課題を解決するための手段】
【０００６】
請求項１記載の硬貨処理装置は、硬貨を収納するとともに繰出可能な硬貨収納繰出部と、この硬貨収納繰出部から繰り出された硬貨を搬送する搬送部と、この搬送部で搬送する硬貨を識別する識別部と、この識別部で識別された硬貨が前記搬送部で送り込まれる出金箱装着部と、上下に開口する箱本体およびこの箱本体の底面を開閉する底板を有し、前記出金箱装着部に着脱可能に装着され、前記出金箱装着部に送り込まれる硬貨を前記箱本体の上面から受け入れる出金箱と、前記出金箱装着部に装着された前記出金箱をロックするロック手段と、前記出金箱装着部に装着された前記出金箱の底板を開閉する開閉手段と、前記出金箱の底板の開放により落下する硬貨を回収する回収部と、前記出金箱装着部に装着された前記出金箱を前記ロック手段でロックした状態で、前記硬貨収納繰出部から硬貨を繰り出し、繰り出した硬貨を前記搬送部で搬送しかつ前記識別部で識別して前記出金箱に送り込み、前記出金箱に送り込んだ出金分の硬貨が前記識別部で正常と識別されれば前記ロック手段によるロックを解除させ、前記識別部で異常硬貨が識別されれば前記開閉手段で前記出金箱の底板を開放させる制御部とを具備しているものである。
【０００７】
請求項２記載の硬貨処理装置は、請求項１記載の硬貨処理装置において、前記底板を開放した前記出金箱が、前記硬貨収納繰出部の硬貨を前記回収部に回収する回収経路の一部を形成するものである。
【０００８】
請求項３記載の硬貨処理装置は、請求項２記載の硬貨処理装置において、前記制御部は、前記硬貨収納繰出部の硬貨を前記回収部に回収する回収モードにおいて、前記出金箱装着部に装着された前記出金箱を前記ロック手段でロックした状態で、前記開閉手段で前記出金箱の底板を開放させ、前記硬貨収納繰出部から硬貨を繰り出し、繰り出した硬貨を前記搬送部で搬送して前記出金箱に送り込むものである。
【０００９】
請求項４記載の硬貨処理装置は、請求項１ないし３いずれか記載の硬貨処理装置において、前記出金箱は、前記ロック手段による前記出金箱のロック解除に連動して前記底板を前記箱本体の底面を閉鎖する閉鎖位置に係止し、前記ロック手段による前記出金箱のロックに連動して前記底板の係止を解除する係止手段を有するものである。
【００１０】
請求項５記載の硬貨処理装置は、請求項１ないし４いずれか記載の硬貨処理装置において、前記出金箱を外した前記出金箱装着部には、前記出金箱装着部に送り込まれる硬貨を前記機体外へ送り出す機外回収用シュート付き出金箱を装着可能とするものである。
【発明の効果】
【００１１】
請求項１記載の硬貨処理装置によれば、出金箱装着部に装着した出金箱をロックした状態で、硬貨収納繰出部から硬貨を繰り出し、繰り出した硬貨を搬送部で搬送しかつ識別部で識別して出金箱に送り込み、出金箱に送り込んだ出金分の硬貨が正常であれば、出金箱のロックを解除し、出金箱を出金箱装着部から外して硬貨を取り出すことができ、また、異常硬貨が識別されれば、出金箱をロックしたまま、開閉手段で出金箱の底板を開放させ、出金箱から落下する硬貨を回収部に回収できる。そのため、出金箱に硬貨の一時保留機能を持たせることができるので、一時保留部が必要なく、小型化およびコスト低減を図ることができる。また、一時保留部から出金箱へ硬貨を搬送する必要がなくなるため、硬貨を出金するまでの処理時間を短縮することができる。さらに、出金箱内に異常硬貨が混入しても、出金箱内の異常硬貨を回収部に回収することができるので、出金箱内の異常硬貨が混入した状態で出金箱が取り出されるのを防止することができる。
【００１２】
請求項２記載の硬貨処理装置によれば、請求項１記載の硬貨処理装置の効果に加えて、底板を開放した出金箱が、硬貨収納繰出部の硬貨を回収部に回収する回収経路の一部を形成するため、回収経路を出金経路と共用でき、回収経路をシンプルに構成できる。
【００１３】
請求項３記載の硬貨処理装置によれば、請求項２記載の硬貨処理装置の効果に加えて、硬貨収納繰出部の硬貨を回収部に回収する回収モードにおいて、出金箱装着部に装着された出金箱をロックした状態で、出金箱の底板を開放させ、硬貨収納繰出部から硬貨を繰り出し、繰り出した硬貨を搬送部で搬送して出金箱に送り込むことにより、出金箱を通過する硬貨を回収部に回収でき、硬貨を回収する処理時間を短縮できる。
【００１４】
請求項４記載の硬貨処理装置によれば、請求項１ないし３いずれか記載の硬貨処理装置の効果に加えて、ロック手段による出金箱のロック解除に連動して、出金箱の係止手段が底板を箱本体の底面を閉鎖する閉鎖位置に係止し、また、ロック手段による出金箱のロックに連動して、出金箱の係止手段が底板の係止を解除できるため、機体から取り外した出金箱の底板が開くのを防止できるうえに、出金箱のロック用と底板のロック解除用とでロック手段で共用でき、構成を簡素化できる。
【００１５】
請求項５記載の硬貨処理装置によれば、請求項１ないし４いずれか記載の硬貨処理装置の効果に加えて、出金箱を外した出金箱装着部に機外回収用シュート付き出金箱を装着することにより、出金箱装着部に送り込まれる硬貨を機体外へ送り出すことができる。
【発明を実施するための最良の形態】
【００１６】
以下、本発明の一実施の形態を、図面を参照して説明する。
【００１７】
図１は硬貨処理装置の概略構造を示す右側面図である。
【００１８】
硬貨処理装置は、機体11を有し、この機体11内には、ばら状態の硬貨を収納するとともに１枚ずつ繰り出し可能な金種別の硬貨収納繰出部12が機体11の奥行き方向に並んで配置され、この硬貨収納繰出部12の側部に硬貨収納繰出部12から繰り出される硬貨を受け入れて前方または後方へ搬送する搬送部13が機体11の奥行き方向に沿って配置され、硬貨収納繰出部12および搬送部13の下部域に包装硬貨である棒金を作成する包装部14が配置されている。
【００１９】
機体11の前部域には、ばら状態の硬貨を出金する出金箱15が着脱可能に装着される出金箱装着部16が形成され、この出金箱装着部16の下部域に回収部17が着脱可能に装着される回収部装着部18が形成されている。
【００２０】
硬貨収納繰出部12には、機内に投入される硬貨が、図示しない入金機構によって識別されるとともに金種別に分類されて収納されている。
【００２１】
搬送部13は、例えばベルトコンベヤであり、硬貨収納繰出部12の硬貨を包装する場合に、前寄りに配置される硬貨収納繰出部12から繰り出された硬貨を後方へ搬送して搬送部13の中央域から包装部14へ送り込み、一方、後寄りに配置される硬貨収納繰出部12から繰り出された硬貨を前方へ搬送して搬送部13の中央域から包装部14へ送り込むように構成されている。また、硬貨収納繰出部12の硬貨を出金または回収する場合に、硬貨収納繰出部12から繰り出された硬貨を前方へ搬送して出金箱15に送り込むように構成されている。
【００２２】
搬送部13の前端部には、出金箱15へ送り込む硬貨の搬送を１層１列に規制する規制部としての逆転ローラ21が配置されているとともに、１層１列に規制して搬送する硬貨の金種や枚数を識別する識別部22が配置されている。
【００２３】
包装部14は、搬送部13から送り込まれた硬貨を包装用硬貨通路に１枚ずつ繰り出して所定枚数重積し、この重積した硬貨の周囲に包装紙を巻き付けて包装し、棒金を作成する。作成した棒金は、機体11に設けられた図示しない棒金出金口に送り出したり、機体11内に配置された図示しない棒金収納部に収納する。包装用硬貨通路からは包装金種と異なる異金種等の異常硬貨が排除され、この排除された異常硬貨が回収部17に送り込まれる。
【００２４】
次に、図２は硬貨処理装置の出金箱のロック解除状態の左側面図、図３は硬貨処理装置の出金箱のロック状態でかつ底板閉鎖状態の左側面図、図４は硬貨処理装置の出金箱のロック状態でかつ底板開放状態の左側面図である。
【００２５】
出金箱15は、上下に開口する四角形筒状の箱本体31を有し、この箱本体31の底部に底板32が開閉可能に配置され、箱本体31の前面に箱本体31の一部を構成するカバー33が取り付けられている。
【００２６】
箱本体31の内面は、箱本体31の上面開口より下面開口が広くなるように、下方へ向かうに従って拡開する傾斜状に形成されている。
【００２７】
底板32は、箱本体31の底面を閉鎖する閉鎖位置と箱本体31の後方へスライドして箱本体31の底面を開放する開放位置との間で、箱本体31にスライド可能に支持されている。底板32の前端には上方へ開口する係止孔34が形成され、底板32の中間部には下方へ開口する連結孔35が形成されている。
【００２８】
カバー33の前部には、出金箱15を出金箱装着部16に着脱操作する取手部36が形成されている。カバー33の底部には、ロック孔37が形成されている。
【００２９】
箱本体31とカバー33との間には、底板32を閉鎖位置に係止する係止手段38が配置されている。この係止手段38は、箱本体31またはカバー33に対して上下方向にスライド可能に取り付けられた係止体39を有し、この係止体39の下部には底板32の係止孔34に上方から差し込まれて底板32を閉鎖位置に係止する係止部40が突設されている。係止体39は、箱本体31またはカバー33との間に付勢手段としてのコイルスプリング41が張設され、このコイルスプリング41によって底板32の係止孔34に係止部40が差し込まれる方向である下方へ向けて付勢されている。係止体39の下部には、カバー33のロック孔37に対向配置される当接部42が折曲形成されている。
【００３０】
そして、出金箱装着部16に装着された出金箱15の底板32を開放した状態では、この出金箱15に送り込まれる硬貨が下方に通過して回収部17に送り込まれる。つまり、底板32を開放した出金箱15の箱本体31の内部空間が、硬貨収納繰出部12の硬貨を回収部17に回収する回収経路43の一部を形成する。
【００３１】
また、出金箱装着部16には、この出金箱装着部16に装着された出金箱15をロックするロック手段51、およびこのロック手段51でロックされた出金箱15の底板32を開閉する開閉手段52が配置されている。
【００３２】
ロック手段51は、出金箱15のロック孔37に差し込み可能とするロック部53が突設されたロック部材54、およびこのロック部材54を上下方向に移動させる図示しないモータやソレノイド等のロック駆動部55（図５参照）を有している。そして、ロック部材54は、ロック駆動部55の駆動により、ロック部53が出金箱15から下方へ離反してその出金箱15を出金箱装着部16に対して着脱可能とするロック解除位置と、ロック部53が出金箱15のロック孔37に差し込まれてその出金箱15を出金箱装着部16にロックするロック位置との間で移動する。このロック部材54のロック解除位置およびロック位置は、図示しないスイッチやセンサ等を用いたロック検知部56（図５参照）で検知する。
【００３３】
ロック部材54がロック解除位置からロック位置に上昇した際には、ロック部53が出金箱15内の係止体39の当接部42に当接し、コイルスプリング41の付勢に抗して係止体39を押し上げ、この係止体39の係止部40を底板32の係止孔34から上方へ抜き外して底板32の係止を解除させる。また逆に、ロック部材54がロック位置からロック解除位置に下降した際には、ロック部53による出金箱15内の係止体39の押し上げを解除し、コイルスプリング41の付勢により係止体39が下降し、この係止体39の係止部40が底板32の係止孔34に上方へ差し込まれて底板32を係止する。したがって、出金箱15の係止手段38は、ロック手段51による出金箱15のロックに連動して底板32の係止を解除し、ロック手段51による出金箱15のロック解除に連動して底板32を箱本体31の底面を閉鎖する閉鎖位置に係止する。
【００３４】
続いて、開閉手段52は、ガイド57によって前後方向にスライド可能に支持されたスライド部材58、このスライド部材58を前後方向に移動させる図示しないモータやソレノイド等の開閉駆動部59（図５参照）、スライド部材58と一体に前後方向に移動するとともにロック部材54の上下方向への移動に連動して一体に上下方向へ移動する開閉部材60を有している。開閉部材60の上部には、出金箱15の底板32の連結孔35に差し込み可能とする連結部61が突設されている。そして、開閉部材60は、開閉駆動部59の駆動により、出金箱15の底板32を閉鎖させる前方の閉鎖位置と、出金箱15の底板32を開放させる後方の開放位置との間で移動する。この開閉部材60の閉鎖位置および開放位置は、図示しないスイッチやセンサ等を用いた開閉検知部62（図５参照）で検知する。また、開閉部材60は、ロック部材54と一体に上方へ移動して連結部61が底板32に連結された連結位置と、ロック部材54と一体に下方へ移動して連結部61から底板32が外れる連結解除位置との間で移動し、しかも、連結位置において、閉鎖位置および開放位置に移動しても連結位置を維持する。
【００３５】
また、出金箱装着部16には、出金箱15が装着されていることを検知する例えばスイッチやセンサ等を用いた出金箱装着検知部66（図５参照）が配置されている。
【００３６】
次に、図５は硬貨処理装置のブロック図を示す。
【００３７】
硬貨処理装置を制御する制御部71は、識別部22、ロック検知部56、開閉検知部62、出金箱装着検知部66等から信号を入力し、硬貨収納繰出部12、搬送部13、包装部14、ロック駆動部55、開閉駆動部59等を制御する。
【００３８】
そして、制御部71は、硬貨収納繰出部12の硬貨を出金箱15に出金する出金モードにおいて、出金箱装着部16に装着された出金箱15をロック手段51でロックした状態で、硬貨収納繰出部12から硬貨を繰り出し、繰り出した硬貨を搬送部13で搬送しかつ識別部22で識別して出金箱15に送り込み、出金箱15に送り込んだ出金分の硬貨が識別部22で正常と識別されればロック手段51によるロックを解除させ、識別部22で異常硬貨が識別されれば開閉手段52で出金箱15の底板32を開放させる機能を有する。
【００３９】
さらに、制御部71は、硬貨収納繰出部12の硬貨を回収部17に回収する回収モードにおいて、出金箱装着部16に装着された出金箱15をロック手段51でロックした状態で、開閉手段52で出金箱15の底板32を開放させ、硬貨収納繰出部12から硬貨を繰り出し、繰り出した硬貨を搬送部13で搬送して出金箱15に送り込む機能を有する。
【００４０】
次に、硬貨処理装置の作用を説明する。
【００４１】
まず、出金モードにおいては、出金箱装着部16に出金箱15が装着されていることを出金箱装着検知部66で検知していれば、ロック手段51で出金箱15を出金箱装着部16にロックする。すなわち、図３に示すように、ロック駆動部55の駆動により、ロック部材54がロック解除位置から上方のロック位置へ移動し、このロック部材54のロック部53が出金箱15のロック孔37に差し込まれる。これにより、出金箱15をロックして出金箱装着部16からの取り外しを規制するとともに、ロック部53が出金箱15内の係止体39の当接部42に当接し、コイルスプリング41の付勢に抗して係止体39を押し上げ、この係止体39の係止部40を底板32の係止孔34から上方へ抜き外して底板32の係止を解除させる。したがって、ロック手段51による出金箱15のロックに連動して係止体39による底板32の係止を解除し、底板32の開放を許容する。
【００４２】
このロック部材54が上方のロック位置へ移動するのと一体に開閉部材60も上方へ移動し、この開閉部材60の連結部61が出金箱15の閉鎖位置にある底板32の連結孔35に差し込まれ、開閉部材60と底板32とが連結される。
【００４３】
そして、出金箱15をロックした状態で、硬貨収納繰出部12から出金指令に応じた出金分の硬貨を順次繰り出し、繰り出した硬貨を搬送部13で前方へ搬送しかつ識別部22で識別して出金箱15に送り込み、出金箱15の底板32上に保留する。
【００４４】
出金箱15に送り込んだ出金分の硬貨が識別部22で正常と識別されれば、ロック手段51による出金箱15のロックを解除させる。すなわち、ロック駆動部55の駆動により、ロック部材54がロック位置から下方のロック解除位置に移動し、このロック部材54のロック部53が出金箱15のロック孔37から抜き外される。これにより、ロック部材54のロック部53による出金箱15内の係止体39の押し上げを解除し、コイルスプリング41の付勢により係止体39が下降し、この係止体39の係止部40が底板32の係止孔34に上方へ差し込まれて底板32を係止する。したがって、ロック手段51による出金箱15のロック解除に連動して、係止体39により底板32を箱本体31の底面を閉鎖する閉鎖位置に係止し、底板32の開放を規制する。
【００４５】
このロック部材54が下方のロック解除位置へ移動するのと一体に開閉部材60も下方へ移動し、この開閉部材60の連結部61が出金箱15の閉鎖位置にある底板32の連結孔35から抜き外され、開閉部材60と底板32とが連結が解除される。
【００４６】
このように、ロック部材54および開閉部材60が下降することで、硬貨を収納した出金箱15を出金箱装着部16から取り外すことが可能となる。出金箱15を出金箱装着部16から取り外すことで、出金箱15内の硬貨を取り出すことができる。硬貨の取出後には、出金箱15を出金箱装着部16に戻す。
【００４７】
また、硬貨収納繰出部12から繰り出された硬貨を出金箱15へ送り込んでいる途中等に、識別部22で出金分の硬貨の中に例えば出金金種とは異なる硬貨や出金枚数より多い硬貨等の異常硬貨が識別されれば、出金箱15をロックした状態のまま、開閉手段52で出金箱15の底板32を開放させる。すなわち、図４に示すように、開閉駆動部59の駆動により、スライド部材58および開閉部材60と一体に出金箱15の係止が解除されている底板32を後方の開放位置へスライドさせ、出金箱15の底面を開放する。これにより、出金箱15内に保留されていた硬貨が落下し、回収部17に回収される。
【００４８】
その後、図３に示すように、開閉駆動部59の駆動により、スライド部材58および開閉部材60と一体に底板32を前方の閉鎖位置へスライドさせ、出金箱15の底面を閉鎖させる。
【００４９】
そして、再度、硬貨収納繰出部12から出金指令に応じた出金分の硬貨を順次繰り出し、繰り出した硬貨を搬送部13で前方へ搬送しかつ識別部22で識別して出金箱15に送り込み、出金箱15の底板32上に保留する。そして、出金箱15に送り込んだ出金分の硬貨が識別部22で正常と識別されれば、上述したように、ロック手段51による出金箱15のロックを解除させる。
【００５０】
次に、回収モードにおいては、出金箱装着部16に出金箱15が装着されていることを出金箱装着検知部66で検知していれば、ロック手段51で出金箱15を出金箱装着部16にロックする。上述したように、このロック動作に伴って、出金箱15の底板32の係止を解除し、開閉部材60が出金箱15の底板32に連結される。出金箱15をロックした状態で、上述したように、開閉手段52で出金箱15の底板32を開放させる。これにより、底板32を開放した出金箱15の箱本体31の内部空間で、硬貨収納繰出部12の硬貨を回収部17に回収する回収経路43の一部を形成させる。
【００５１】
硬貨収納繰出部12から硬貨を繰り出し、繰り出した硬貨を搬送部13で搬送しかつ識別部22で識別して出金箱15に送り込む。出金箱15に送り込まれた硬貨は、出金箱15を通過して回収部17に回収される。
【００５２】
硬貨収納繰出部12の硬貨を回収部17に回収し終えたら、スライド部材58および開閉部材60と一体に底板32を前方の閉鎖位置へスライドさせ、出金箱15の底面を閉鎖させる。
【００５３】
このように、硬貨処理装置では、出金箱装着部16に装着した出金箱15をロックした状態で、硬貨収納繰出部12から硬貨を繰り出し、繰り出した硬貨を搬送部13で搬送しかつ識別部22で識別して出金箱15に送り込み、出金箱15に送り込んだ出金分の硬貨が正常であれば、出金箱15のロックを解除し、出金箱15を出金箱装着部16から外して硬貨を取り出すことができる。また、異常硬貨が識別されれば、出金箱15をロックしたまま、開閉手段52で出金箱15の底板32を開放させ、出金箱15から落下する硬貨を回収部17に回収することができる。そのため、出金箱15に硬貨の一時保留機能を持たせることができ、一時保留部が必要なく、小型化およびコスト低減を図ることができる。また、従来のように一時保留部から出金箱へ硬貨を搬送する必要がなくなるため、硬貨を出金するまでの処理時間を短縮することができる。さらに、出金箱15内に異常硬貨が混入しても、出金箱15内の異常硬貨を回収部17に回収することができるので、出金箱15内の異常硬貨が混入した状態で出金箱15が取り出されるのを防止することができる。
【００５４】
また、底板32を開放した出金箱15が、硬貨収納繰出部12の硬貨を回収部17に回収する回収経路43の一部を形成するため、回収経路43の一部と硬貨を出金箱15に出金する出金経路とを共用でき、回収経路43をシンプルに構成できる。
【００５５】
また、硬貨収納繰出部12の硬貨を回収部17に回収する回収モードにおいて、出金箱装着部16に装着された出金箱15をロックした状態で、出金箱15の底板32を開放させ、硬貨収納繰出部12から硬貨を繰り出し、繰り出した硬貨を搬送部13で搬送して出金箱15に送り込むことにより、出金箱15を通過する硬貨を回収部17に回収でき、硬貨を回収する処理時間を短縮できる。
【００５６】
また、ロック手段51による出金箱15のロック解除に連動して、出金箱15の係止手段38が底板32を箱本体31の底面を閉鎖する閉鎖位置に係止し、また、ロック手段51による出金箱15のロックに連動して、出金箱15の係止手段38が底板32の係止を解除できるため、機体11から取り外した出金箱15の底板32が開くのを防止できるうえに、出金箱15のロック用と底板32のロック解除用とでロック手段51で共用でき、構成を簡素化できる。
【００５７】
なお、硬貨収納繰出部12の硬貨を、機内の回収部17ではなく、機外に直接取り出して回収することもできる。この場合には、図６に示すように、出金箱装着部16から出金箱15を外し、機外回収用シュート付き出金箱81を出金箱装着部16に装着する。
【００５８】
この機外回収用シュート付き出金箱81は、出金箱15の箱本体31と略同じ形状で出金箱装着部16に着脱可能とする箱本体82、およびこの箱本体82が出金箱装着部16に装着された状態で搬送部13から送り込まれる硬貨を機体11の前方へ導いて放出する機外回収用シュート83を有している。箱本体82には、出金箱15のロック孔37と同様の図示しないロック孔が形成されている。
【００５９】
そして、硬貨収納繰出部12の硬貨を、機内の回収部17ではなく、機外に直接取り出して回収する場合には、出金箱装着部16から出金箱15を外し、機外回収用シュート付き出金箱81を出金箱装着部16に装着する。機外回収用シュート83の下側に回収箱85を配置する。
【００６０】
なお、上述した通常の回収モードとは別に機外回収モードを設定してもよい。通常の回収モードの場合には、出金箱装着検知部66で機外回収用シュート付き出金箱81の装着を検知すれば、ロック手段51で機外回収用シュート付き出金箱81を出金箱装着部16にロックした後、開閉手段52が動作するが、この場合には開閉手段52の動作とは干渉しないように機外回収用シュート付き出金箱81を形成しておく。また、機外回収モードを設定していれば、出金箱装着検知部66で機外回収用シュート付き出金箱81の装着を検知すれば、ロック手段51で機外回収用シュート付き出金箱81を出金箱装着部16にロックするが、開閉手段52は動作させない。
【００６１】
そして、機外回収用シュート付き出金箱81をロックした後、硬貨収納繰出部12から硬貨を繰り出し、繰り出した硬貨を搬送部13で搬送しかつ識別部22で識別して機外回収用シュート付き出金箱81に送り込む。機外回収用シュート付き出金箱81に送り込まれた硬貨は、機外回収用シュート83によって機体11の前方へ導かれて放出され、回収箱85に回収される。
【００６２】
このように、出金箱15を外した出金箱装着部16に、機外回収用シュート付き出金箱81を装着することにより、機外回収用シュート付き出金箱81に送り込まれる硬貨を機体外へ送り出し、回収することができる。
【００６３】
なお、機外回収用シュート付き出金箱81の利用は、機外回収モード以外に、機内に投入した硬貨を入金機構の識別部で識別および計数した後に入金することなく機外に取り出す計数モードの場合にも利用できる。
【図面の簡単な説明】
【００６４】
【図１】本発明の一実施の形態を示す硬貨処理装置の概略構造を示す右側面図である。
【図２】同上硬貨処理装置の出金箱のロック解除状態の左側面図である。
【図３】同上硬貨処理装置の出金箱のロック状態でかつ底板閉鎖状態の左側面図である。
【図４】同上硬貨処理装置の出金箱のロック状態でかつ底板開放状態の左側面図である。
【図５】同上硬貨処理装置のブロック図である。
【図６】同上硬貨処理装置に機外回収用シュート付き出金箱を装着した概略構造を示す右側面図である。
【符号の説明】
【００６５】
12    硬貨収納繰出部
13    搬送部
15    出金箱
16    出金箱装着部
17    回収部
22    識別部
31    箱本体
32    底板
38    係止手段
43    回収経路
51    ロック手段
52    開閉手段
71    制御部
81    機外回収用シュート付き出金箱
【図１】
2010113533.tif 000003
【図２】
2010113533.tif 000004
【図３】
2010113533.tif 000005
【図４】
2010113533.tif 000006
【図５】
2010113533.tif 000007
【図６】
2010113533.tif 000008